(57)【要約】【課題】合成樹脂製スロットルボデー本体の放熱性の向上とボアー部肉厚の均一化によりスロットルボデー本体の変形とモータの損傷を防止する。【解決手段】スロットルボデー１を、スロットルシャフト４およびスロットルバルブ５等を収容する計量部２と、モータ１１およびギアー類１３，１５，１７等を収容するギアーケース部８と、開度センサ２２等を収容するカバー部２０との３体に分割できるよう構成し、必要部品を組み付けた後３体を組み付けることによりスロットルボデー１を構成したため、計量部２を構成する計量部本体３成形時の金型割りの自由度が増すため肉厚を均一にすることができるので、樹脂成形時の計量部本体３の変形が生じない。したがって、スロットルバルブ５と計量部本体３とが干渉することがなくスロットルバルブ５の制御性が損なわれることがない。【選択図】図２
2008101628.tif 000002
【特許請求の範囲】
【請求項１】
合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類ならびに前記スロットルバルブの開度を検出するための開度センサ等を内蔵するよう構成された電動式スロットルボデーにおいて、前記スロットルボデーを、前記スロットルシャフトおよび前記スロットルバルブ等を収容する計量部と、前記モータおよび前記ギアー類等を収容するギアーケース部と、前記開度センサ等を収容するカバー部との３体に分割できるよう構成し、必要部品を組み付けた後前記３体を組み付けることにより前記スロットルボデーを構成するようにしたことを特徴とする電動式スロットルボデー。
【請求項２】
前記ギアーケース部の本体を軽金属材料により形成したことを特徴とする請求項１記載の電動式スロットルボデー。
【発明の詳細な説明】
【技術分野】
【０００１】
本発明は内燃機関の回転数制御のため使用される電動式スロットルボデーに関し、詳しくは、スロットルボデーの成形歪やモータの発熱による損傷等を防止することができるスロットルボデーに関するものである。
【背景技術】
【０００２】
合成樹脂製のスロットルボデー本体内に、スロットルバルブが固定されたスロットルシャフトおよびスロットルシャフトを回動するためのモータおよびモータ駆動力をスロットルシャフトに伝達するためのギアー類ならびにスロットルバルブの開度を検出するための開度センサ等を内臓するよう構成された電動式スロットルボデー（例えば、文献１参照）においては、近時、車両の軽量化ならびにコスト低減を目的に部品類の樹脂化が進められており、エンジンの吸入空気量制御のためのスロットルボデーにおいても同様に本体の樹脂化が進められている。
【０００３】
【特許文献１】特開２００１−１３２４９５号公報
【発明の開示】
【発明が解決しようとする課題】
【０００４】
しかしながら、スロットルボデー本体を樹脂化するに当たっては次のような問題が生ずるおそれがある。すなわち、図４に示すように、スロットルボデー６１を構成する合成樹脂製のスロットルボデー本体６２の熱伝導性が低いためモータ１１の熱がスロットルボデー本体６２外に放熱されず、モータ１１が過熱して破損するおそれがある。また、モータ１１の熱が放熱されず、ボアー部６２ａが変形してスロットルバルブ５と干渉しスロットルバルブ５の制御性が損なわれるおそれがある。また、ボアー部６２ａの偏肉（樹脂厚さの偏り）により成形時にボアー部６２ａの真円度が出ずスロットルバルブ５と干渉してスロットルバルブ５の制御性が損なわれるおそれがある。
【０００５】
そこで本発明は、合成樹脂製スロットルボデー本体の放熱性の向上とボアー部肉厚の均一化によりスロットルボデー本体の変形を抑止することができるスロットルボデーを提供することを課題とするものである。
【課題を解決するための手段】
【０００６】
前記課題の解決を目的としてなされた請求項１の発明は、合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類ならびに前記スロットルバルブの開度を検出するための開度センサ等を内蔵するよう構成された電動式スロットルボデーにおいて、前記スロットルボデーを、前記スロットルシャフトおよび前記スロットルバルブ等を収容する計量部と、前記モータおよび前記ギアー類等を収容するギアーケース部と、前記開度センサ等を収容するカバー部との３体に分割できるよう構成し、必要部品を組み付けた後前記３体を組み付けることにより前記スロットルボデーを構成するようにしたことを特徴とする。また、請求項２の発明は、前記ギアーケース部の本体を軽金属材料により形成したことを特徴とする。
【０００７】
上述のように、請求項１の発明においては、スロットルボデーを、スロットルシャフトおよびスロットルバルブ等を収容する計量部と、モータおよびギアー類等を収容するギアーケース部と、開度センサ等を収容するカバー部との３体に分割できるよう構成し、必要部品を組み付けた後３体を組み付けることによりスロットルボデーを構成したため、計量部を構成する計量部本体成形時の金型割りの自由度が増すため肉厚を均一にすることができるので、樹脂成形時の計量部本体の変形が生じない。また、請求項２の発明においては、ギアーケース部のギアーケース本体を軽金属材料により形成したので、モータの発熱がギアーケース本体を通して大気に放熱されるのでモータの過熱が防止される。
【発明の効果】
【０００８】
本発明は上述のように構成されているので以下の効果を奏する。すなわち、請求項１の発明においては、スロットルボデーを、スロットルシャフトおよびスロットルバルブ等を収容する計量部と、モータおよびギアー類等を収容するギアーケース部と、開度センサ等を収容するカバー部との３体に分割できるよう構成し、必要部品を組み付けた後３体を組み付けることによりスロットルボデーを構成したため、計量部を構成する計量部本体成形時の金型割りの自由度が増すため肉厚を均一にすることができるので、樹脂成形時の計量部本体の変形が生じない。したがって、スロットルバルブと計量部本体とが干渉することがなくスロットルバルブの制御性が損なわれることがない。また、請求項２の発明においては、ギアーケース部のギアーケース本体を軽金属材料により形成したので、モータの発熱がギアーケース本体を通して大気に放熱されるのでモータの過熱が防止されモータが破損することがない。
【発明を実施するための最良の形態】
【０００９】
本発明の望ましい実施形態について図面を参照して説明する。図１は本発明の一実施形態実施形態に係るスロットルボデーの横断面図、図２は図１の分解図、図３は図１におけるＰ視内視図である。
図１および図２ならびに図３において、スロットルボデー１を３分割する第１の部分である計量部２を構成する合成樹脂製の計量部本体３の中央には円筒状のボアー部３ａが形成されている。ボアー部３ａを横切ってスロットルシャフト４が回動可能に軸支され、スロットルシャフト４にはスロットルバルブ５がネジ６により固定されている。スロットルシャフト４の一端は計量部本体３内で切断され、端面には後述する駆動シャフト１６と係合するための凹部４ａが設けられている。スロットルシャフト４の他端は計量部本体３にプラグ７が圧入され大気と遮断されている。計量部本体３の凹部４ａ側には後述するギアーケース本体９を固定するための第１フランジ部３ｂが設けられている。計量部本体３のボアー部３ａ出口にはスロットルボデー１をエンジンのインテークマニホールドに固定するための第２フランジ部３ｃが設けられている。ボアー部３ａ周囲ならびにフランジ部３ｂ，３ｃの樹脂肉厚は成形歪を抑制できるようできる限り均一になるよう構成されている。
【００１０】
スロットルボデー１を３分割する第２の部分であるギアーケース部８を構成するアルミニウム製のギアーケース本体９には有底円筒部９ａが形成され中に板バネ１０を介してモータ１１が収容されている。モータ１１は一体的に設けられたブラケット１１ａによりギアーケース本体９にボルト１２で固定されている。モータ１１の出力軸１１ｂには駆動ギアー１３が固定され出力軸１１ｂとともに回動する。また、ギアーケース本体９にはギアー軸１４が圧入され、ギアー軸１４には中間ギアー１５が遊嵌されている。後述するカバー本体２１がギアーケース本体９に組み付けられる時、カバー本体がギアー軸１４にかぶさることにより中間ギアー１５のギアー軸１４からの抜けが防止される。ギアーケース本体９にはさらに駆動シャフト１６が回動可能に軸支され、駆動シャフト１６の一端にはスロットルギアー１７が一体的に固定されている。
【００１１】
駆動シャフト１６の他端にはスロットルシャフト４の凹部４ａに係合する突起部１６ａが設けられ、凹部４ａに係合された後はスロットルシャフト４と一体的に回動する。スロットルギアー１７には戻しバネ１８の一端が係合し戻しバネ１８の他端がギアーケース本体９に係合してスロットルギアー１７をスロットルバルブ５の全閉方向に付勢する。スロットルギアー１７には後述する開度センサ２２に対応する位置に磁石１９が埋設されている。駆動ギアー１３、中間ギアー１５、スロットルギアー１７はそれぞれ噛合するよう構成されており、モータ１１の回転が減速されてスロットルギアー１７に伝達され、スロットルギアー１７と一体の駆動シャフト１６に連結するスロットルバルブ５を開閉するよう構成されている。
【００１２】
スロットルボデー１を３分割する第３の部分であるカバー部２０を構成するカバー本体２１には、スロットルギアー１７に埋設された磁石１９に対応する位置に開度センサ２２が配設されている。開度センサ２２からは検知信号を送信するための配線がなされ、エンジンを制御するための周知のＥＣＵに伝達される（図示せず）。カバー本体２１のギアー軸１４に対応する位置にはギアー軸１４に遊嵌する凹部２１ａが穿設された係止部２１ｂが形成されている。カバー本体２１がギアーケース本体９に組みつけられたとき、係止部２１ｂは中間ギアー１５の抜け出しを防止する。
【００１３】
カバー本体２１のモータ１１に対応する位置には電源供給のためのターミナル２３ａ，（２３ｂ（図示せず））が設けられ、カバー本体２１がギアーケース本体９に組み付けられた時、モータ１１の電源ターミナル２４ａ，２４ｂに嵌着して導通する。カバー本体２１はギアーケース本体９に気密を保持してネジ止めまたはスナップフィットで固定され、ギアーケースサブアッセンブリ２５を構成する。ギアーケースサブアッセンブリ２５はＯリング２６を介して計量部本体３の第１フランジ部３ｂにネジ２７により固定される。Ｏリング２６によりギアーケース本体９および計量部本体３内は大気と遮断され防塵が保たれる。
【００１４】
次に、図３を参照してスロットルバルブの開度調整について説明する。スロットルバルブ５に直結するスロットルギアー１７はスロットルバルブ５全閉位置においてギアーケース本体９に螺着された調整ネジ２８に当接する。調整ネジ２８を回すことによりスロットルバルブ５の開度が調整される。
【図面の簡単な説明】
【００１５】
【図１】本発明の一実施形態に係るスロットルボデーの横断面図である。
【図２】図１の分解図である。
【図３】図１におけるＰ視内視図である。
【図４】従来のスロットルボデーの縦断面図である。
【符号の説明】
【００１６】
１  スロットルボデー
２  計量部
４  スロットルシャフト
５  スロットルバルブ
８  ギアーケース部
９  ギアーケース本体
１１  モータ
１３  駆動ギアー
１５  中間ギアー
１７  スロットルギアー
２０  カバー部
２２  開度センサ
【図１】
2008101628.tif 000003
【図２】
2008101628.tif 000004
【図３】
2008101628.tif 000005
【図４】
2008101628.tif 000006
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類ならびに前記スロットルバルブの開度を検出するための開度センサ等を内蔵するよう構成された電動式スロットルボデーにおいて、
前記スロットルボデーを、前記スロットルシャフトおよび前記スロットルバルブ等を収容する合成樹脂製の計量部本体を備える計量部と、前記モータおよび前記ギアー類等を収容するギアーケース本体を備えるギアーケース部と、前記開度センサ等を収容するカバー本体を備えるカバー部との３体に分割できるよう構成し、
前記計量部本体、前記ギアーケース本体及び前記カバー本体のそれぞれに必要部品を組み付けた後、前記計量部、前記ギアーケース部及び前記カバー部の３体を組み付けることにより前記スロットルボデーを構成し、
前記ギアーケース部のギアーケース本体には、前記カバー部の開度センサに対応するスロットルギアーが、回転可能にかつ該スロットルギアーのカバー部側の端部を該ギアーケース本体のカバー部側接合面よりカバー部側に突出した状態で収容されている
ことを特徴とする電動式スロットルボデー。
【請求項２】
前記計量部の計量部本体における前記スロットルシャフトを回動可能に軸支するボアー部周囲の樹脂肉厚は均一になるように構成されていることを特徴とする請求項１記載の電動式スロットルボデー。
【手続補正２】
【補正対象書類名】明細書
【補正対象項目名】０００６
【補正方法】変更
【補正の内容】
【０００６】
前記課題の解決を目的としてなされた請求項１の発明は、合成樹脂製のスロットルボデー本体内に、スロットルバルブが固定されたスロットルシャフトおよび前記スロットルシャフトを回動するためのモータおよび前記モータの駆動力を前記スロットルシャフトに伝達するためのギアー類ならびに前記スロットルバルブの開度を検出するための開度センサ等を内蔵するよう構成された電動式スロットルボデーにおいて、
前記スロットルボデーを、前記スロットルシャフトおよび前記スロットルバルブ等を収容する計量部と、前記モータおよび前記ギアー類等を収容するギアーケース部と、前記開度センサ等を収容するカバー部との３体に分割できるよう構成し、
前記スロットルボデーを、前記スロットルシャフトおよび前記スロットルバルブ等を収容する合成樹脂製の計量部本体を備える計量部と、前記モータおよび前記ギアー類等を収容するギアーケース本体を備えるギアーケース部と、前記開度センサ等を収容するカバー本体を備えるカバー部との３体に分割できるよう構成し、
前記計量部本体、前記ギアーケース本体及び前記カバー本体のそれぞれに必要部品を組み付けた後、前記計量部、前記ギアーケース部及び前記カバー部の３体を組み付けることにより前記スロットルボデーを構成するようにし、
前記ギアーケース部のギアーケース本体には、前記カバー部の開度センサに対応するスロットルギアーが、回転可能にかつ該スロットルギアーのカバー部側の端部を該ギアーケース本体のカバー部側接合面よりカバー部側に突出した状態で収容されている
ことを特徴とする。
【手続補正３】
【補正対象書類名】明細書
【補正対象項目名】０００７
【補正方法】変更
【補正の内容】
【０００７】
上述のように、請求項１の発明においては、スロットルボデーを、スロットルシャフトおよびスロットルバルブ等を収容する合成樹脂製の計量部本体を備える計量部と、モータおよびギアー類等を収容するギアーケース本体を備えるギアーケース部と、開度センサ等を収容するカバー本体を備えるカバー部との３体に分割できるよう構成し、計量部本体、ギアーケース本体及びカバー本体のそれぞれに必要部品を組み付けた後、計量部、ギアーケース部及びカバー部の３体を組み付けることによりスロットルボデーを構成したため、計量部を構成する計量部本体成形時の金型割りの自由度が増すため肉厚を均一にすることができるので、樹脂成形時の計量部本体の変形が生じない。また、ギアーケース部のギアーケース本体には、カバー部の開度センサに対応するスロットルギアーが、回転可能にかつ該スロットルギアーのカバー部側の端部を該ギアーケース本体のカバー部側接合面よりカバー部側に突出した状態で収容されているとよい。
また、請求項２の発明のように、計量部の計量部本体におけるスロットルシャフトを回動可能に軸支するボアー部周囲の樹脂肉厚は均一になるように構成されているとよい。
【手続補正４】
【補正対象書類名】明細書
【補正対象項目名】０００８
【補正方法】変更
【補正の内容】
【０００８】
本発明は上述のように構成されているので以下の効果を奏する。すなわち、請求項１の発明においては、スロットルボデーを、スロットルシャフトおよびスロットルバルブ等を収容する合成樹脂製の計量部本体を備える計量部と、モータおよびギアー類等を収容するギアーケース本体を備えるギアーケース部と、開度センサ等を収容するカバー本体を備えるカバー部との３体に分割できるよう構成し、計量部本体、ギアーケース本体及びカバー本体のそれぞれに必要部品を組み付けた後、計量部、ギアーケース部及びカバー部の３体を組み付けることによりスロットルボデーを構成したため、計量部を構成する計量部本体成形時の金型割りの自由度が増すため肉厚を均一にすることができるので、樹脂成形時の計量部本体の変形が生じない。したがって、スロットルバルブと計量部本体とが干渉することがなくスロットルバルブの制御性が損なわれることがない。また、請求項２の発明のように、計量部の計量部本体におけるスロットルシャフトを回動可能に軸支するボアー部周囲の樹脂肉厚は均一になるように構成されているとよい。